(57)【要約】【課題】携帯端末装置から利用者が所望する情報を抽出し、不特定多数の他の端末装置においても安全に受信することができるようにする。【解決手段】情報提供サーバ装置は、認証情報を入力させるためのＷｅｂページを端末装置に送信する認証情報入力画面送信手段と、入力された認証情報を端末装置から受信して利用者を認証する認証手段と、認証手段が認証した結果に基づいて、携帯端末装置が記憶する情報を抽出するための検索条件を入力させるためのＷｅｂページを端末装置に送信する検索条件入力画面送信手段と、入力された検索条件を端末装置から受信する検索条件受信手段と、受信した検索条件を含めて、携帯端末装置に情報抽出の要求を送信する要求手段とを含み、携帯端末装置は、要求を受信し、受信した要求に含まれる検索条件に合致する情報を抽出する情報抽出手段と、抽出した情報を電子メールで端末装置に送信する情報送信手段とを含む。【選択図】図１
2009098776.tif 000002
【特許請求の範囲】
【請求項１】
端末装置および携帯端末装置と通信可能な情報提供サーバ装置を備え、
前記情報提供サーバ装置は、
利用者の認証に必要な認証情報を入力させるためのＷｅｂページを前記端末装置に送信する認証情報入力画面送信手段と、
前記認証情報入力画面送信手段が送信したＷｅｂページにおいて入力された認証情報を前記端末装置から受信して利用者を認証する認証手段と、
前記認証手段が認証した結果に基づいて、前記携帯端末装置が記憶する情報を抽出するための検索条件を入力させるためのＷｅｂページを前記端末装置に送信する検索条件入力画面送信手段と、
前記検索条件入力画面送信手段が送信したＷｅｂページにおいて入力された検索条件を前記端末装置から受信する検索条件受信手段と、
前記検索条件受信手段が受信した検索条件を含めて、前記携帯端末装置に情報抽出の要求を送信する要求手段とを含み、
前記携帯端末装置は、
前記要求手段が送信した要求を受信し、受信した要求に含まれる検索条件に合致する情報を抽出する情報抽出手段と、
前記情報抽出手段が抽出した情報を電子メールで前記端末装置に送信する情報送信手段とを含む
ことを特徴とする情報取得システム。
【請求項２】
情報抽出手段は、情報の抽出可否を示す抽出可否情報をあらかじめ記憶し、当該抽出可否情報に基づいて、記憶する情報を抽出するか否かを判断する請求項１記載の情報取得システム。
【請求項３】
要求手段は、利用者を特定可能な情報を含む情報抽出の要求を送信し、
情報抽出手段は、あらかじめ記憶する利用者を認証するための情報に基づいて、記憶する情報を抽出するか否かを判断する
請求項１または請求項２記載の情報取得システム。
【請求項４】
要求手段は、要求の送信先を示す情報を予め記憶し、記憶する送信先に情報抽出の要求を送信する請求項１から請求項３のうちのいずれか１項に記載の情報取得システム。
【請求項５】
端末装置および情報提供サーバ装置と通信可能な携帯端末装置であって、
前記端末装置が前記情報提供サーバ装置に送信した当該携帯端末装置が記憶する情報を抽出するための検索条件を前記情報提供サーバ装置から受信し、受信した検索条件に合致する情報を抽出する情報抽出手段と、
前記情報抽出手段が抽出した情報を電子メールで前記端末装置に送信する情報送信手段と
を備えたことを特徴とする携帯端末装置。
【請求項６】
情報抽出手段は、情報の抽出可否を示す抽出可否情報をあらかじめ記憶し、当該抽出可否情報に基づいて、記憶する情報を抽出するか否かを判断する請求項５記載の携帯端末装置。
【請求項７】
情報提供サーバ装置が、利用者の認証に必要な認証情報を入力させるためのＷｅｂページを端末装置に送信する認証情報入力画面送信ステップと、
前記情報提供サーバ装置が、前記認証情報入力画面送信ステップで送信したＷｅｂページにおいて入力された認証情報を前記端末装置から受信して利用者を認証する認証ステップと、
前記情報提供サーバ装置が、前記認証ステップで認証した結果に基づいて、携帯端末装置が記憶する情報を抽出するための検索条件を入力させるためのＷｅｂページを前記端末装置に送信する検索条件入力画面送信ステップと、
前記情報提供サーバ装置が、前記検索条件入力画面送信ステップで送信したＷｅｂページにおいて入力された検索条件を前記端末装置から受信する検索条件受信ステップと、
前記情報提供サーバ装置が、前記検索条件受信ステップで受信した検索条件を含めて、前記携帯端末装置に情報抽出の要求を送信する要求ステップと、
前記携帯端末装置が、前記要求ステップで送信した要求を受信し、受信した要求に含まれる検索条件に合致する情報を抽出する情報抽出ステップと、
前記携帯端末装置が、前記情報抽出ステップで抽出した情報を電子メールで前記端末装置に送信する情報送信ステップと
を含むことを特徴とする情報取得方法。
【請求項８】
携帯端末装置が、情報抽出ステップで、情報の抽出可否を示す情報であってあらかじめ記憶する抽出可否情報に基づいて、記憶する情報を抽出するか否かを判断する請求項７記載の情報取得方法。
【請求項９】
端末装置および情報提供サーバ装置と通信可能な携帯端末装置が抽出した情報を端末装置に送信するための情報取得プログラムであって、
コンピュータに、
前記端末装置が前記情報提供サーバ装置に送信した当該携帯端末装置が記憶する情報を抽出するための検索条件を前記情報提供サーバ装置から受信し、受信した検索条件に合致する情報を抽出する情報抽出処理と、
前記情報抽出処理で抽出した情報を電子メールで前記端末装置に送信する情報送信処理と
を実行させるための情報取得プログラム。
【請求項１０】
コンピュータに、
情報抽出処理で、情報の抽出可否を示す情報であってあらかじめ記憶する抽出可否情報に基づいて、記憶する情報を抽出するか否かを判断する処理を実行させる
請求項９記載の情報取得プログラム。
【発明の詳細な説明】
【技術分野】
【０００１】
本発明は、携帯端末装置が記憶している情報を取得する情報取得システム、携帯端末装置、情報取得方法および情報取得プログラムに関する。
【背景技術】
【０００２】
自宅等に携帯端末装置を忘れてしまった場合、携帯端末装置にのみ記憶されている連絡先等の情報を得ることはできない。このような場合、携帯端末装置にのみ記憶されている情報を得るためには、帰宅する必要が生じてしまうため、利用者にとって不便である。
【０００３】
電子メール情報を受信した端末装置以外の端末装置で同電子メール情報を閲覧できる電子メール情報の送受信システムが提案されている（例えば、特許文献１参照）。特許文献１には、第１の端末装置が、利用者の認証情報とともに、第２の端末装置に格納されている電子メール情報を要求する情報を第２の端末装置に送信し、利用者が認証された場合に、第２の端末装置から電子メール情報を受信することが記載されている。
【０００４】
【特許文献１】特開２００２−２２９９１０号公報
【発明の開示】
【発明が解決しようとする課題】
【０００５】
しかし、特許文献１に記載された方式では、第２の端末装置に格納されている電子メール情報を受信することができることは記載されているものの、どのような電子メール情報を抽出するかについては記載されていない。また、第１の端末装置に、第２の端末装置に格納されている電子メール情報を閲覧するための機能を搭載する必要がある。そのため、外出先等において、例えば、街中に存在する有料端末装置貸出場所にある不特定多数の端末装置を利用して、第２の端末装置に格納されている電子メール情報を受信することができるとは限らない。
【０００６】
そこで、本発明は、他の端末装置に特定の機能を搭載することなく、携帯端末装置から利用者が所望する情報を抽出し、安全に受信することができる情報取得システム、携帯端末装置、情報取得方法および情報取得プログラムを提供することを目的とする。
【課題を解決するための手段】
【０００７】
本発明による情報取得システムは、端末装置および携帯端末装置と通信可能な情報提供サーバ装置を備え、情報提供サーバ装置は、利用者の認証に必要な認証情報を入力させるためのＷｅｂページを端末装置に送信する認証情報入力画面送信手段と、認証情報入力画面送信手段が送信したＷｅｂページにおいて入力された認証情報を端末装置から受信して利用者を認証する認証手段と、認証手段が認証した結果に基づいて、携帯端末装置が記憶する情報を抽出するための検索条件を入力させるためのＷｅｂページを端末装置に送信する検索条件入力画面送信手段と、検索条件入力画面送信手段が送信したＷｅｂページにおいて入力された検索条件を端末装置から受信する検索条件受信手段と、検索条件受信手段が受信した検索条件を含めて、携帯端末装置に情報抽出の要求を送信する要求手段とを含み、携帯端末装置は、要求手段が送信した要求を受信し、受信した要求に含まれる検索条件に合致する情報を抽出する情報抽出手段と、情報抽出手段が抽出した情報を電子メールで端末装置に送信する情報送信手段とを含むことを特徴とする。
【０００８】
本発明による携帯端末装置は、端末装置および情報提供サーバ装置と通信可能な携帯端末装置であって、端末装置が情報提供サーバ装置に送信した当該携帯端末装置が記憶する情報を抽出するための検索条件を情報提供サーバ装置から受信し、受信した検索条件に合致する情報を抽出する情報抽出手段と、情報抽出手段が抽出した情報を電子メールで端末装置に送信する情報送信手段とを備えたことを特徴とする。
【０００９】
本発明による情報取得方法は、情報提供サーバ装置が、利用者の認証に必要な認証情報を入力させるためのＷｅｂページを端末装置に送信する認証情報入力画面送信ステップと、情報提供サーバ装置が、認証情報入力画面送信ステップで送信したＷｅｂページにおいて入力された認証情報を端末装置から受信して利用者を認証する認証ステップと、情報提供サーバ装置が、認証ステップで認証した結果に基づいて、携帯端末装置が記憶する情報を抽出するための検索条件を入力させるためのＷｅｂページを端末装置に送信する検索条件入力画面送信ステップと、情報提供サーバ装置が、検索条件入力画面送信ステップで送信したＷｅｂページにおいて入力された検索条件を端末装置から受信する検索条件受信ステップと、情報提供サーバ装置が、検索条件受信ステップで受信した検索条件を含めて、携帯端末装置に情報抽出の要求を送信する要求ステップと、携帯端末装置が、要求ステップで送信した要求を受信し、受信した要求に含まれる検索条件に合致する情報を抽出する情報抽出ステップと、携帯端末装置が、情報抽出ステップで抽出した情報を電子メールで端末装置に送信する情報送信ステップとを含むことを特徴とする。
【００１０】
本発明による情報取得プログラムは、端末装置および情報提供サーバ装置と通信可能な携帯端末装置が抽出した情報を端末装置に送信するための情報取得プログラムであって、コンピュータに、端末装置が情報提供サーバ装置に送信した当該携帯端末装置が記憶する情報を抽出するための検索条件を情報提供サーバ装置から受信し、受信した検索条件に合致する情報を抽出する情報抽出処理と、情報抽出処理で抽出した情報を電子メールで端末装置に送信する情報送信処理とを実行させることを特徴とする。
【発明の効果】
【００１１】
本発明によれば、他の端末装置に特定の機能を搭載することなく、携帯端末装置から利用者が所望する情報を抽出し、安全に受信することができるという効果がある。
【発明を実施するための最良の形態】
【００１２】
実施形態１．
まず、本発明の概要について図面を参照して説明する。図１は、第１の実施形態の情報取得システムの構成例を示すブロック図である。図１に例示する情報取得システムは、情報提供サーバ装置２０と、携帯端末装置３０とを備える。
【００１３】
情報提供サーバ装置２０は、端末装置１０および携帯端末装置３０と通信可能に接続される。端末装置１０は、例えば、Ｗｅｂブラウザ機能を搭載したパーソナルコンピュータ等である。
【００１４】
情報提供サーバ装置２０は、認証情報入力画面送信手段２１と、認証手段２２と、検索条件入力画面送信手段２３と、検索条件受信手段２４と、要求手段２５とを含む。
【００１５】
認証情報入力画面送信手段２１は、利用者の認証に必要な認証情報を入力させるためのＷｅｂページを、端末装置１０に送信する。
【００１６】
認証手段２２は、認証情報入力画面送信手段２１が送信したＷｅｂページにおいて入力された認証情報を、端末装置１０から受信して利用者を認証する。
【００１７】
検索条件入力画面送信手段２３は、認証手段２２が認証した結果に基づいて、携帯端末装置３０が記憶する情報を抽出するための検索条件を入力させるためのＷｅｂページを、端末装置１０に送信する。
【００１８】
検索条件受信手段２４は、検索条件入力画面送信手段２３が送信したＷｅｂページにおいて入力された検索条件を、端末装置１０から受信する。
【００１９】
要求手段２５は、検索条件受信手段２４が受信した検索条件を含めて、携帯端末装置３０に情報抽出の要求を送信する。
【００２０】
携帯端末装置３０は、情報抽出手段３１と、情報送信手段３２とを含む。
【００２１】
情報抽出手段３１は、要求手段２５が送信した要求を受信し、受信した要求に含まれる検索条件に合致する情報を抽出する。
【００２２】
情報送信手段３２は、情報抽出手段３１が抽出した情報を電子メールで端末装置１０に送信する。
【００２３】
本実施形態によれば、情報提供サーバ装置が、利用者がＷｅｂページを用いて入力した認証情報を受信して利用者を認証し、利用者を認証した結果に基づいて、検索条件を入力するためのＷｅｂページを端末装置に送信する。また、携帯端末装置が、利用者がＷｅｂページを用いて入力した検索条件に合致する情報を抽出し、端末装置に送信する。そのため、Ｗｅｂブラウザが搭載された端末装置であれば、特定の機能を搭載することなく、携帯端末装置から利用者が所望する情報を抽出し、安全に受信することができる。
【００２４】
実施形態２．
以下、本発明の第２の実施形態を図面を参照して説明する。図２は、第２の実施形態の情報取得システムの構成例を示すブロック図である。図２に示す情報取得システムは、クライアントＰＣ（パーソナルコンピュータ）１００と、情報提供ＡＰ（アプリケーション）サーバ２００と、情報提供ＤＢ（データベース）サーバ２１０と、携帯端末装置３００とを備える。
【００２５】
クライアントＰＣ１００は、第１の実施形態における端末装置１０に相当する。情報提供ＡＰサーバ２００および情報提供ＤＢサーバ２１０は、第１の実施形態における情報提供サーバ装置２０に相当する。携帯端末装置３００は、第１の実施形態における携帯端末装置３０に相当する。
【００２６】
図３は、クライアントＰＣ１００、情報提供ＡＰサーバ２００および情報提供ＤＢサーバ２１０の接続例を示すブロック図である。図３に示す例では、クライアントＰＣ１００と情報提供ＡＰサーバ２００とは、例えば、ＩＰ網等の通信ネットワークを介して接続されている。また、情報提供ＡＰサーバ２００と情報提供ＤＢサーバ２１０とは、同一ＬＡＮ上に設けられている。クライアントＰＣ１００は、例えば、ＨＴＴＰＳにより、情報提供ＡＰサーバ２００に接続する。なお、図３には示されていないが、携帯端末装置３００も、ＩＰ網等の通信ネットワークを介して、クライアントＰＣ１００および情報提供ＡＰサーバ２００と通信可能に接続される。
【００２７】
クライアントＰＣ１００は、情報提供ＡＰサーバ２００を介して、携帯端末装置３００にリモートアクセスし、情報を受信する。クライアントＰＣ１００は、例えば、Ｗｅｂブラウザ機能およびメール機能を搭載したＰＣである。クライアントＰＣ１００に搭載されたＷｅｂブラウザは、情報提供ＡＰサーバ２００によって送信されたＷｅｂページを表示し、利用者がＷｅｂページにおいて入力した情報を情報提供ＡＰサーバ２００に送信する。
【００２８】
情報提供ＡＰサーバ２００は、認証情報入力画面送信手段２０１と、認証受付手段２０２と、検索条件入力画面送信手段２０３と、検索条件受信手段２０４と、要求手段２０５とを含む。情報提供ＡＰサーバ２００は、例えば、ネットワーク上に情報取得用のＷｅｂサイトを提供しているＷｅｂサーバとして動作する。
【００２９】
情報提供ＤＢサーバ２１０は、認証チェック手段２１１と、データベース２１２とを含む。
【００３０】
認証情報入力画面送信手段２０１は、利用者の認証に必要な認証情報を入力させるためのＷｅｂページ（認証用ページ）を、クライアントＰＣ１００に送信する。
【００３１】
認証受付手段２０２は、認証情報入力画面送信手段２０１が送信したＷｅｂページにおいて入力された認証情報をクライアントＰＣ１００から受信し、情報提供ＤＢサーバ２１０に認証チェックを要求する。認証受付手段２０２は、情報提供ＤＢサーバ２１０から認証チェック結果を受信し、クライアントＰＣ１００に認証チェック結果を示すＷｅｂページ（認証結果ページ）を送信する。
【００３２】
認証チェック手段２１１は、認証受付手段２０２による認証チェック要求に応じて、認証チェックを行い、認証受付手段２０２に認証チェック結果を送信する。認証チェック手段２１１は、例えば、あらかじめデータベース２１２が記憶している認証情報に基づいて認証チェックを行う。
【００３３】
検索条件入力画面送信手段２０３は、認証受付手段２０２が受信した認証チェック結果に基づいて、携帯端末装置３００が記憶する情報を抽出するための検索条件を入力させるためのＷｅｂページ（検索条件入力用ページ）を、クライアントＰＣ１００に送信する。
【００３４】
検索条件受信手段２０４は、検索条件入力画面送信手段２０３が送信したＷｅｂページ（検索条件入力用ページ）において入力された検索条件を、クライアントＰＣ１００から受信する。例えば、検索条件受信手段２０４は、検索条件入力用ページにおいて入力された検索条件を、電話番号取得要求としてクライアントＰＣ１００から受信する。
【００３５】
要求手段２０５は、検索条件受信手段２０４が受信した検索条件を含めて、携帯端末装置３００に情報抽出の要求を送信する。例えば、要求手段２０５は、検索条件受信手段２０４が受信した電話番号取得要求に基づいて電話番号取得要求メールを作成し、携帯端末装置３００に送信する。
【００３６】
データベース２１２は、要求手段２０５が送信する情報抽出の要求の送信先を示す情報として、携帯端末装置３００の携帯メールアドレスおよびパスワードをあらかじめ記憶している。例えば、利用者は、情報提供ＡＰサーバ２００がクライアントＰＣ１００に送信したＷｅｂページ（携帯メールアドレス登録用ページ）において、携帯端末装置３００の携帯メールアドレスおよびパスワードを入力する。情報提供ＡＰサーバ２００は、利用者が入力した携帯メールアドレスおよびパスワードをクライアントＰＣ１００から受信し、データベース２１２に登録する。要求手段２０５は、例えば、データベース２１２が記憶する携帯端末装置３００の携帯メールアドレスおよびパスワードを含む電話番号取得要求メールを作成して、携帯端末装置３００に送信する。
【００３７】
携帯端末装置３００は、情報抽出手段３０１と、情報送信手段３０２とを含み、メール機能を有する。携帯端末装置３００は、例えば、携帯電話機である。
【００３８】
情報抽出手段３０１は、要求手段２０５が送信した要求を受信し、受信した要求に含まれる検索条件に合致する情報を抽出する。例えば、情報抽出手段３０１は、要求手段２０５が送信した電話番号取得要求メールを受信し、受信したメールに含まれる検索条件（名前、ふりがな等）に合致する電話帳情報を抽出する。
【００３９】
情報送信手段３０２は、情報抽出手段３０１が抽出した情報をクライアントＰＣ１００に送信する。例えば、情報送信手段３０２は、情報抽出手段３０１が抽出した電話帳情報を含む電話番号通知メールをクライアントＰＣ１００に送信する。
【００４０】
また、情報抽出手段３０１は、検索条件に合致する情報を抽出する際に、情報の提供（抽出）可否を示す情報提供可否設定に基づいて、情報を抽出するか否かを判断する。情報提供可否設定は、例えば、情報の提供可否を示す情報（情報提供可否）と、抽出した情報の送信先を示す情報（外部メールアドレス）とを含む情報である。
【００４１】
また、情報抽出手段３０１は、検索条件に合致する情報を抽出する際に、利用者を認証するための情報に基づいて、情報を抽出するか否かを判断する。利用者を認証するための情報とは、例えば、利用者、すなわち抽出した情報の送信先を示す情報（外部メールアドレス）と、パスワードとを含む情報である。
【００４２】
図４は、情報提供可否設定を利用者に設定させるための設定画面例を示す説明図である。図４に例示する設定画面は、例えば、携帯端末装置３００の表示部（図示せず。）に表示される。図４には、情報提供可否設定と、利用者を認証するための情報とを同時に設定可能な場合が例示されている。設定画面を用いて入力された情報提供可否設定および利用者を認証するための情報は、携帯端末装置３００の記憶手段（図示せず。）にあらかじめ記憶される。
【００４３】
情報抽出手段３０１は、受信した電話番号取得要求メールに含まれる外部メールアドレスに基づいて、記憶手段から該当する情報提供可否設定および利用者を認証するための情報を抽出し、「情報提供可否」がオンであるか否か、およびパスワードが一致するか否かを判断する。「情報提供可否」がオンであり、かつパスワードが一致する場合に、情報抽出手段３０１は検索条件に合致する情報を抽出する。
【００４４】
次に、図面を参照して、第２の実施形態の動作について説明する。
【００４５】
まず、データベース２１２が、要求手段２０５が送信する情報抽出の要求の送信先を示す情報を記憶する処理について説明する。図５は、データベース２１２が情報抽出の要求の送信先を示す情報を記憶する処理の例を示すシーケンス図である。
【００４６】
まず、クライアントＰＣ１００は、情報提供ＡＰサーバ２００に接続要求を送信する（ステップＳ１０１）。例えば、クライアントＰＣ１００は、情報提供ＡＰサーバ２００に、ＨＴＴＰＳによる接続要求を送信する。例えば、クライアントＰＣ１００は、利用者によってＷｅｂブラウザに入力されたＵＲＬに基づいて、情報提供ＡＰサーバ２００に接続する。
【００４７】
認証情報入力画面送信手段２０１は、認証情報の送信を要求する認証要求として、利用者の認証に必要な認証情報を入力させるための認証用ページをクライアントＰＣ１００に送信する（ステップＳ１０２）。認証情報は、利用者の認証に必要な情報であって、例えば、ＩＤやパスワード等の情報である。
【００４８】
クライアントＰＣ１００のＷｅｂブラウザは、認証情報入力画面送信手段２０１が送信した認証用ページを受信して、表示部（図示せず。）に表示する。利用者は、表示された認証用ページにおいて、ＩＤおよびパスワードを入力する。クライアントＰＣ１００のＷｅｂブラウザは、利用者が入力したＩＤおよびパスワードを認証情報として情報提供ＡＰサーバ２００に送信する（ステップＳ１０３）。
【００４９】
認証受付手段２０２は、クライアントＰＣ１００から認証情報を受信して、情報提供ＤＢサーバ２１０に認証チェックを要求する（ステップＳ１０４）。
【００５０】
情報提供ＤＢサーバ２１０の認証チェック手段２１１は、認証受付手段２０２が送信した認証チェック要求に応じて認証チェックを行い（ステップＳ１０５）、認証受付手段２０２に認証チェック結果を送信する（ステップＳ１０６）。認証チェック手段２１１は、例えば、あらかじめデータベース２１２が記憶している認証情報に基づいて認証チェックを行う。
【００５１】
認証受付手段２０２は、情報提供ＤＢサーバ２１０から認証チェック結果を受信し、クライアントＰＣ１００に認証チェック結果を示す認証結果ページを送信する（ステップＳ１０７）。クライアントＰＣ１００のＷｅｂブラウザは、認証受付手段２０２が送信した認証結果ページを表示部に表示する。図５には、認証されて接続が許可された場合を例示する。
【００５２】
クライアントＰＣ１００と情報提供ＡＰサーバ２００との認証接続確立後、クライアントＰＣ１００は、利用者が入力した携帯端末装置３００の携帯メールアドレスおよびパスワードを情報提供ＡＰサーバ２００に送信する（ステップＳ１０８）。例えば、利用者は、表示された認証結果ページにおいて、携帯メールアドレス登録処理に対応するボタンを、画面上でマウスによりクリックする等の操作により選択する。クライアントＰＣ１００は、情報提供ＡＰサーバ２００に、携帯メールアドレス登録処理が選択されたことを示す情報を送信する。情報提供ＡＰサーバ２００は、クライアントＰＣ１００が送信した情報に応じて、携帯メールアドレス登録用ページをクライアントＰＣ１００に送信する。クライアントＰＣ１００のＷｅｂブラウザは、携帯メールアドレス登録用ページを表示部に表示する。利用者は、表示された携帯メールアドレス登録用ページにおいて、携帯端末装置３００の携帯メールアドレスおよびパスワードを入力する。クライアントＰＣ１００のＷｅｂブラウザは、利用者が入力した携帯メールアドレスおよびパスワードを情報提供ＡＰサーバ２００に送信する。
【００５３】
情報提供ＡＰサーバ２００は、受信した携帯端末装置３００の携帯メールアドレスおよびパスワードを情報提供ＤＢサーバ２１０に送信し（ステップＳ１０９）、データベース２１２に登録する（ステップＳ１１０）。情報提供ＤＢサーバ２１０は、情報提供ＡＰサーバ２００に登録結果通知を送信する（ステップＳ１１１）。
【００５４】
情報提供ＡＰサーバ２００は、情報提供ＤＢサーバ２１０から登録結果通知を受信して、クライアントＰＣ１００に送信する（ステップＳ１１２）。例えば、情報提供ＡＰサーバ２００は、ＤＢ登録完了を示すＷｅｂページ（ＤＢ登録完了ページ）をクライアントＰＣ１００に送信する。クライアントＰＣ１００は、ＤＢ登録完了ページを受信して、例えば、ＤＢ登録完了画面として表示部に表示する。
【００５５】
上記の処理でデータベース２１２に登録された携帯端末装置３００の携帯メールアドレスおよびパスワードは、要求手段２０５が電話番号取得要求メールを作成する際に使用される。
【００５６】
次に、携帯端末装置３００に情報抽出を要求する処理について説明する。図６は、携帯端末装置３００に情報抽出を要求する処理の例を示すシーケンス図である。なお、図６におけるステップＳ１０１からステップＳ１０７の処理は、図５における処理と同様なため説明を省略する。
【００５７】
例えば、利用者は、まず、クライアントＰＣ１００のＷｅｂブラウザが表示した認証結果ページにおいて、情報抽出要求処理に対応するボタンを、画面上でマウスによりクリックする等の操作により選択する。クライアントＰＣ１００のＷｅｂブラウザは、情報提供ＡＰサーバ２００に、情報抽出要求処理が選択されたことを示す情報を送信する。
【００５８】
次に、情報提供ＡＰサーバ２００の検索条件入力画面送信手段２０３は、受信した情報に応じて、検索条件入力用ページをクライアントＰＣ１００に送信する。ここで、検索条件入力画面送信手段２０３は、認証受付手段２０２が受信した認証チェック結果に基づいて、クライアントＰＣ１００に検索条件入力用ページを送信するか否かを判断する。例えば、利用者が認証されて接続が許可された旨の認証チェック結果である場合に、検索条件入力画面送信手段２０３は、クライアントＰＣ１００に検索条件入力用ページを送信する。
【００５９】
クライアントＰＣ１００のＷｅｂブラウザは、検索条件入力用ページを表示部に表示する。利用者は、表示された検索条件入力用ページにおいて、電話帳情報を抽出したい相手の名前やふりがな等の検索条件を入力する。クライアントＰＣ１００のＷｅｂブラウザは、利用者が入力した検索条件を、電話番号取得要求として情報提供ＡＰサーバ２００に送信する（ステップＳ１２１）。
【００６０】
情報提供ＡＰサーバ２００の要求手段２０５は、検索条件を含む電話番号取得要求をクライアントＰＣ１００から受信する。そして、要求手段２０５は、検索条件を含む電話番号取得要求メールの本文を作成する（ステップＳ１２２）。例えば、要求手段２０５は、電話番号取得要求メールの宛先（送信先）を、データベース２１２が記憶する携帯端末装置３００の携帯メールアドレスにする。また、データベース２１２が記憶するパスワードを含めて、電話番号取得要求メールの本文を作成する。要求手段２０５は、作成した電話番号取得要求メールを携帯端末装置３００に送信する（ステップＳ１２３）。
【００６１】
携帯端末装置３００の情報抽出手段３０１は、電話番号取得要求メールを受信して本文を解析し、電話帳情報を検索して、受信した検索条件に合致する情報を抽出する（ステップＳ１２４）。情報抽出手段３０１は、例えば、抽出した電話帳情報を含む電話番号通知メールを作成する。情報送信手段３０２は、情報抽出手段３０１が作成した電話番号通知メールを外部メールアドレスに宛てて送信する（ステップＳ１２５）。利用者は、クライアントＰＣ１００におけるメーラを利用して、電話番号通知メールを得ることができる。
【００６２】
次に、携帯端末装置３００が情報を抽出する処理について説明する。図７は、携帯端末装置３００が情報を抽出する処理の例を示すシーケンス図である。以下に説明する処理は、図６におけるステップＳ１２４，Ｓ１２５の処理に対応する。
【００６３】
携帯端末装置３００の情報抽出手段３０１は、電話番号取得要求メールを受信すると（ステップＳ２０１）、受信メールの解析処理を行う（ステップＳ２０２）。解析処理において、情報抽出手段３０１は、受信したメールが、情報取得メール（電話番号取得要求メール）か否かの判別を行う（ステップＳ２０３）。情報取得メールでないと判別した場合（通常メール）、通常のメール処理を行う（ステップＳ２０４）。
【００６４】
ステップＳ２０３において、情報取得メールであると判別した場合（情報取得メール）、情報抽出手段３０１は、「情報提供可否」およびパスワードの一致判定処理を行う（ステップＳ２０５）。ステップＳ２０６において、情報抽出手段３０１は、受信した電話番号取得要求メールに含まれる外部メールアドレスに基づいて、記憶手段から該当する情報提供可否設定および利用者を認証するための情報を抽出し、「情報提供可否」がオンであるか否か、およびパスワードが一致するか否かを判断する。
【００６５】
ステップＳ２０６において、「情報提供可否」がオフであるか、パスワードが一致しない場合（どちらかがＮＯの場合）、携帯端末装置３００は処理を中止する（ステップＳ２０７）。
【００６６】
一方、ステップＳ２０６において、「情報提供可否」がオンであり、かつパスワードが一致する場合（両方ともＹＥＳの場合）、ステップＳ２０８に移行する。ステップＳ２０８において、情報抽出手段３０１は、受信メールの解析を継続し、メール本文に含まれる電話帳情報（名前、ふりがな等）を検索条件として、記憶する電話帳情報から合致する電話情報（例えば、電話番号）を抽出する。情報抽出手段３０１は、取得した電話情報に基づいてメール本文の作成を行い、あらかじめ情報提供可否設定として登録しておいた外部メールアドレスを宛先とする電話番号通知メールを作成する。情報送信手段３０２は、ステップＳ２０８で情報抽出手段３０１が作成した電話番号通知メールを外部メールアドレスに宛てて送信し（ステップＳ２０９）、一連の処理を終了する。
【００６７】
以上に説明したように、第２の実施形態によれば、利用者は、電話帳情報の取得に必要な情報（例えば、名前、ふりがな等）を知っていれば、取得したい電話帳情報をメールで簡単に得ることができる。
【００６８】
また、第２の実施形態によれば、携帯端末装置は、電話番号取得要求メールの受信後に情報提供可否およびパスワードのチェックを行う。また、携帯端末装置は、あらかじめ登録された外部メールアドレスのみを宛先として電話番号通知メールを送信する。そのため、第三者から不正なアクセスが行われることによる情報漏洩を防止し、より安全に利用者が所望する情報を受信することができる。
【００６９】
例えば、端末装置に依存しないメールアドレスを外部メールアドレスとして設定することにより、外出先で、街中に存在する有料ＰＣ貸出場所にあるＰＣ等の不特定多数の端末装置において電話帳情報を取得することができる。なお、情報漏洩を防止するため、利用者が電話番号通知メールを確認した後、自動的に電話番号通知メールを削除するようにしてもよい。
【００７０】
なお、第２の実施形態では、電話帳情報を抽出する場合を例示したが、スケジュール情報やＴｏＤｏ情報などの携帯端末装置が記憶している他の情報を抽出してもよい。スケジュール情報を抽出する場合には、対象となる期間を指定できることが望ましい。
【００７１】
なお、上記に示した実施形態では、以下の（１）〜（４）に示すような特徴的構成を備えた情報取得システムが示されている。
【００７２】
（１）端末装置（例えば、端末装置１０、クライアントＰＣ１００で実現される）および携帯端末装置（例えば、携帯端末装置３０，３００で実現される）と通信可能な情報提供サーバ装置（例えば、情報提供サーバ装置２０、情報提供ＡＰサーバ２００および情報提供ＤＢサーバ２１０で実現される）を備え、情報提供サーバ装置は、利用者の認証に必要な認証情報を入力させるためのＷｅｂページを端末装置に送信する認証情報入力画面送信手段（例えば、認証情報入力画面送信手段２１，２０１で実現される）と、認証情報入力画面送信手段が送信したＷｅｂページにおいて入力された認証情報を端末装置から受信して利用者を認証する認証手段（例えば、認証手段２２、認証受付手段２０２および認証チェック手段２１１で実現される）と、認証手段が認証した結果に基づいて、携帯端末装置が記憶する情報を抽出するための検索条件を入力させるためのＷｅｂページを端末装置に送信する検索条件入力画面送信手段（例えば、検索条件入力画面送信手段２３，２０３で実現される）と、検索条件入力画面送信手段が送信したＷｅｂページにおいて入力された検索条件を端末装置から受信する検索条件受信手段（例えば、検索条件受信手段２４，２０４で実現される）と、検索条件受信手段が受信した検索条件を含めて、携帯端末装置に情報抽出の要求を送信する要求手段（例えば、要求手段２５，２０５で実現される）とを含み、携帯端末装置は、要求手段が送信した要求を受信し、受信した要求に含まれる検索条件に合致する情報を抽出する情報抽出手段（例えば、情報抽出手段３１，３０１で実現される）と、情報抽出手段が抽出した情報を電子メールで端末装置に送信する情報送信手段（例えば、情報送信手段３２，３０２で実現される）とを含むことを特徴とする情報取得システム。
【００７３】
（２）情報抽出手段は、情報の抽出可否を示す抽出可否情報をあらかじめ記憶し、当該抽出可否情報に基づいて、記憶する情報を抽出するか否かを判断する情報取得システム。そのように構成された情報取得システムは、あらかじめ情報を抽出すると設定された携帯端末装置から情報を抽出するため、不正な情報の抽出を防止することができる。
【００７４】
（３）要求手段は、利用者を特定可能な情報を含む情報抽出の要求を送信し、情報抽出手段は、あらかじめ記憶する利用者を認証するための情報に基づいて、記憶する情報を抽出するか否かを判断する情報取得システム。そのように構成された情報取得システムは、第三者からの不正アクセスによる情報漏洩を防止することができる。
【００７５】
（４）要求手段は、要求の送信先を示す情報を予め記憶し、記憶する送信先に情報抽出の要求を送信する情報取得システム。そのように構成された情報取得システムは、予め設定された送信先に情報抽出の要求を送信することができる。
【産業上の利用可能性】
【００７６】
本発明は、携帯端末装置が記憶している情報を、不特定多数の他の端末装置において安全に受信するために効果的に適用できる。
【図面の簡単な説明】
【００７７】
【図１】第１の実施形態の情報取得システムの構成例を示すブロック図である。
【図２】第２の実施形態の情報取得システムの構成例を示すブロック図である。
【図３】クライアントＰＣ、情報提供ＡＰサーバおよび情報提供ＤＢサーバの接続例を示すブロック図である。
【図４】情報提供可否設定を利用者に設定させるための設定画面例を示す説明図である。
【図５】データベースが情報抽出の要求の送信先を示す情報を記憶する処理の例を示すシーケンス図である。
【図６】情報抽出を要求する処理の例を示すシーケンス図である。
【図７】情報を抽出する処理の例を示すシーケンス図である。
【符号の説明】
【００７８】
１０  端末装置
２０  情報提供サーバ装置
２１  認証情報入力画面送信手段
２２  認証手段
２３  検索条件入力画面送信手段
２４  検索条件受信手段
２５  要求手段
３０  携帯端末装置
３１  情報抽出手段
３２  情報送信手段
【図１】
2009098776.tif 000003
【図２】
2009098776.tif 000004
【図３】
2009098776.tif 000005
【図４】
2009098776.tif 000006
【図５】
2009098776.tif 000007
【図６】
2009098776.tif 000008
【図７】
2009098776.tif 000009